(57)【要約】      （修正有）【課題】印影を容易に正立状態とすることができ、且つ正しい位置に押印することができる印鑑を提供する。【解決手段】印鑑１は、断面が正方形である直方体状の本体１０と、前記本体１０の長手方向の先端に連続して設けられる断面が円形の印盤２０と、を備え、前記印盤２０の正面が印面２０Ａとして形成されており、前記印面２０Ａの背面側から見た場合の該印面２０Ａの所定の上端位置２０ａ、下端位置２０ｂ、左端位置２０ｃ、右端位置２０ｄが、それぞれ、前記本体１０の上面１０Ａの短手方向の中心位置１０ａ、下面１０Ｂの短手方向の中心位置、左面１０Ｃの短手方向の中心位置１０ｃ、右面１０Ｄの短手方向の中心位置と一致して設けられている。【選択図】図１
0003171830.tif 000002
【実用新案登録請求の範囲】
【請求項１】
断面が正方形である直方体状の本体と、
前記本体の長手方向の先端に連続して設けられる断面が円形の印盤と、を備え、
前記印盤の正面が印面として形成されており、
前記印面の背面側から見た場合の該印面の所定の上端位置、下端位置、左端位置、右端位置が、それぞれ、前記本体の上面、下面、左面、右面の短手方向の中心位置と一致して設けられていること
を特徴とする印鑑。
【請求項２】
前記本体の左面に該左面であることを表示する左面表示部が設けられていること、もしくは、前記本体の右面に該右面であることを表示する右面表示部が設けられていること
を特徴とする請求項１記載の印鑑。
【請求項３】
前記左面表示部および前記右面表示部は、溝部、突起部、材質変更部、着色部、もしくは文字表記部からなること
を特徴とする請求項２記載の印鑑。
【請求項４】
前記溝部は、前記本体の長手方向に延設された線状溝であること
を特徴とする請求項３記載の印鑑。
【請求項５】
前記印盤の円形断面の直径と、前記本体の正方形断面の一辺の長さとが等しいこと
を特徴とする請求項１〜４のいずれか一項に記載の印鑑。
【請求項６】
前記印盤は、印字用インクの通流・保持が可能な多孔質材料を用いて形成されており、
前記本体は、内部に、前記印字用インクを貯蔵すると共に、該印字用インクを前記印盤の背面側から該印盤へ供給するインク貯蔵部を備えること
を特徴とする請求項１〜５のいずれか一項に記載の印鑑。
【請求項７】
断面が円形であって先端面に印面が形成された印鑑をケース本体に収納し、該印面が該ケース本体から突出するように該印鑑を該ケース本体に保持させた状態で押印動作を行うことができる印鑑ケースであって、
前記ケース本体は、外形断面が正方形である直方体状であって、長手方向の先端面に開口部を有して前記印鑑を内部に収納可能な収納孔を備えると共に、前記印面の背面方向から見た場合の該印面の所定の上端位置、下端位置、左端位置、右端位置と、前記ケース本体の上面、下面、左面、右面の短手方向の中心位置とをそれぞれ一致させた状態で該印鑑を該収納孔内に固定する固定部を備えること
を特徴とする印鑑ケース。
【請求項８】
前記ケース本体の左面に該左面であることを表示する左面表示部が設けられていること、もしくは、前記ケース本体の右面に該右面であることを表示する右面表示部が設けられていること
を特徴とする請求項７記載の印鑑ケース。
【請求項９】
前記ケース本体は、前記印鑑を短手方向に挟み込み可能なように蝶番部が設けられて開閉可能に形成されており、
前記固定部は、前記印鑑を前記収納孔内に収納して前記ケース本体を閉じることによって、該収納孔の内面に設けられた弾力性部材が該印鑑に圧接して、該印鑑を固定すること
を特徴とする請求項７または請求項８記載の印鑑ケース。
【考案の詳細な説明】
【技術分野】
【０００１】
本考案は、印鑑および印鑑ケースに関する。
【背景技術】
【０００２】
従来より用いられている一般的な印鑑の例として、印影が円形となる円柱状の印鑑がある。当該円柱状の印鑑においては、押印の際にどの向きが正しい位置であるのか、すなわち印影が正しい向きとなる正立位置がわからずに、印影が斜めになってしまうことが課題となっていた。
【０００３】
そのような課題を解決する技術として、印体を直方体とすることによって、縦書き、横書き文字列のどちらに対しても平行または直角のイメージがつけ易く、容易に傾きの少ない印影が押印できる印鑑が知られている（特許文献１参照）。
【先行技術文献】
【特許文献】
【０００４】
【特許文献１】特開２０１０−１７９６４５号公報
【考案の概要】
【考案が解決しようとする課題】
【０００５】
しかし、特許文献１に例示される構成においては、印体の側面を成す四面のうち、いずれの面が上面となるのか識別できないため、例えば、押印前に印面を目視で確認する等して、上面位置を把握しなければならず、押印の際に手間がかかってしまう原因となっていた。また場合によっては、上面位置の把握誤りが発生して、正立位置を誤ってしまう原因ともなっていた。
【０００６】
また特に、特許文献１の図１、２に例示されるように、印体と印面とが外形寸法において差を有する段付き構造の場合、印面の端部位置、すなわち、上端、下端、左端、右端の位置が把握し難いため、印面の押印位置が正しい位置から上下左右にずれてしまう課題も発生し得る。
【０００７】
本考案は、上記事情に鑑みてなされたものであり、印影を容易に正立状態とすることができ、且つ正しい位置に押印することができる印鑑を提供することを目的とする。
【課題を解決するための手段】
【０００８】
本考案は、以下に記載するような解決手段により、前記課題を解決する。
【０００９】
開示の印鑑は、断面が正方形である直方体状の本体と、前記本体の長手方向の先端に連続して設けられる断面が円形の印盤と、を備え、前記印盤の正面が印面として形成されており、前記印面の背面側から見た場合の該印面の所定の上端位置、下端位置、左端位置、右端位置が、それぞれ、前記本体の上面、下面、左面、右面の短手方向の中心位置と一致して設けられていることを要件とする。
【考案の効果】
【００１０】
本考案によれば、印影を容易に正立状態とすることができ、且つ正しい位置に押印することができる印鑑の実現が可能となる。
【図面の簡単な説明】
【００１１】
【図１】本考案の第一の実施形態に係る印鑑の例を示す概略図である。
【図２】本考案の第一の実施形態に係る印鑑の例を示す概略図である。
【図３】本考案の第二の実施形態に係る印鑑の例を示す概略図である。
【図４】本考案の実施形態に係る印鑑ケースの例を示す概略図である。
【考案を実施するための形態】
【００１２】
（第一の実施形態に係る印鑑）
以下、図面を参照して、本考案の実施の形態について詳しく説明する。図１は、本考案の第一の実施形態に係る印鑑１の例を示す斜視図（概略図）である。また、図２（ａ）は、当該印鑑１の正面図（概略図）であり、図２（ｂ）は、当該印鑑１の背面図（概略図）である。なお、実施形態を説明するための全図において、同一の機能を有する部材には同一の符号を付し、その繰り返しの説明は省略する場合がある。
【００１３】
図１に示すように、印鑑１は、断面（長手方向と直行する方向に切断した断面）が正方形である直方体状の本体１０と、本体１０の長手方向の先端に連続して設けられる断面が円形の印盤２０とを備えて構成されており、印盤２０の正面が印面２０Ａとして形成されている。
【００１４】
また、図１および図２（ａ）、２（ｂ）に示すように、印面２０Ａの背面側から見た場合の当該印面２０Ａの所定の上端位置２０ａ、下端位置２０ｂ、左端位置２０ｃ、右端位置２０ｄが、それぞれ、前記本体１０の上面１０Ａの短手方向の中心位置１０ａ、下面１０Ｂの短手方向の中心位置１０ｂ、左面１０Ｃの短手方向の中心位置１０ｃ、右面１０Ｄの短手方向の中心位置１０ｄと一致するように構成されている。
【００１５】
上記構成によれば、例えば、押印の際に本体１０の左面１０Ｃが左側となるように把持するのみで、印面２０Ａを直接目視せずとも当該印面２０Ａを正立状態に保持することができる。さらに、本体１０が断面正方形の直方体であることによって、本体１０が斜めになっている状態が把握し易いため、印面２０Ａを容易に且つ正確に正立状態に保持することができる。したがって、押印の際に印影が斜めになってしまうことを容易に防止することができる。
【００１６】
ここで、印鑑１は、本体１０の左面１０Ｃに当該左面であることを表示する左面表示部１１が設けられていることを特徴とする。例えば、右利きの人が印鑑を押印する際には、右手で印鑑を把持して印体（本体）の左面に親指を掛けることが多く、また、印体（本体）の左面が最も視界に入り易いため、左面１０Ｃを触覚的あるいは視覚的に識別できる構成を設けることによって、印面２０Ａが正立状態となる印体１０の位置を容易に判別することが可能となる。
【００１７】
本実施形態においては、図１に示すように、左面表示部１１は本体の長手方向に延設された溝部（一例として、連続的に形成された線状溝）として設けられている。これによれば、左面１０Ｃであることを触覚的に識別することが可能となる。特に、線状溝であることによって、親指の触れる位置（長手方向の位置）に関わらず左面１０Ｃであることの識別が可能となる効果が得られる。ただし、溝部の形状は線状溝に限定されるものではなく、連続的あるいは断続的に設けられた他の溝形状であってもよい。
【００１８】
左面表示部１１の構成は上記溝部に限定されるものではなく、変形例として、連続的あるいは断続的に設けられた突起部とする構成が考えられる（不図示）。これによれば、左面１０Ｃであることを触覚的に識別することが可能となる。
【００１９】
また、左面表示部１１の他の変形例として、左面１０Ｃの全部もしくは一部に材質の異なる部分である材質変更部を設ける構成が考えられる（不図示）。材質変更部としては、例えば、表面がザラついた部材（樹脂材料等）を貼着させる等の構成が考えられる。これによれば、左面１０Ｃであることを触覚的あるいは視覚的に識別することが可能となる。
【００２０】
また、左面表示部１１の他の変形例として、左面１０Ｃの全部もしくは一部を、他の三面（上面１０Ａ、下面１０Ｂ、および右面１０Ｄ）と異なる色に着色する着色部を設ける構成が考えられる（不図示）。着色部としては、例えば、着色した部材（樹脂材料等）を貼着させる構成あるいは直接、塗色する構成等が考えられる。これによれば、左面１０Ｃであることを視覚的に識別することが可能となる。
【００２１】
また、左面表示部１１の他の変形例として、左面１０Ｃに識別用の文字を表記する文字表記部を設ける構成が考えられる（不図示）。文字表記部としては、例えば、「左面」と表記した部材（樹脂材料等）を貼着させる構成あるいは直接、「左面」と印字する構成等が考えられる。これによれば、左面１０Ｃであることを視覚的に識別することが可能となる。
【００２２】
また、左面表示部１１の他の変形例として、上記の構成を二つ以上組み合わせた構成とすることも考えられる。
【００２３】
上記のように左面表示部１１を設ける構成は右利きの人用として好適な例である。左利きの人用としては、本体１０の右面１０Ｄに当該右面であることを表示する右面表示部を設ける構成が好適である。なお、右面表示部の具体的構成については、左面表示部と同様であるため、繰り返しの説明を省略する。
【００２４】
さらに、本実施形態に係る印鑑１は、図２（ａ）に示すように、本体１０の正方形断面の一辺の長さＬ１と、印盤２０の円形断面の直径（すなわち、印面２０Ａの直径である）Ｌ２とが等しくなるように構成されている。
【００２５】
これによれば、印体１０と印面２０Ａとが外形寸法において差が無いことによって、印面２０Ａの端部位置、すなわち、上端位置２０ａ、下端位置２０ｂ、左端位置２０ｃ、右端位置２０ｄをきわめて容易に把握することができる。したがって、押印の際に印面２０Ａの押印位置が紙面内の正しい位置から上下左右にずれてしまう課題の解決が可能となり、思い通りの位置に容易に押印することが可能となる。
【００２６】
（第二の実施形態に係る印鑑）
続いて、本考案の第二の実施形態に係る印鑑１について説明する。第二の実施形態に係る印鑑１は、前述の第一の実施形態と基本的な構成および作用効果は同様であるため、相違点を中心に説明する。
【００２７】
本実施形態に係る印鑑１は、図３に示すように、印盤２０が、印字用インクの通流・保持が可能な多孔質材料を用いて形成されている。一例として、無数の連続気孔を有する樹脂材料を用いることができる。また、本体１０は、内部に、印字用インクを貯蔵すると共に、当該印字用インクを印盤２０の背面側から当該印盤２０内さらには印面２０Ａへ供給するインク貯蔵部１３を備えている。
【００２８】
これによれば、使用の都度、印字用インクを印面２０Ａに付着させることなく、押印を行うことができる。
【００２９】
（印鑑ケース）
続いて、本考案の実施形態に係る印鑑ケース３について説明する。図４は、本実施形態に係る印鑑ケース３の例を示す斜視図（概略図）であって、図４（ａ）は印鑑を収納する前の開口した状態の図であり、図４（ｂ）は市販の円柱状印鑑２を収納して固定した状態の図である。
【００３０】
図４（ａ）、４（ｂ）に示すように、印鑑ケース３は、断面が円形であって先端面に印面２Ａが形成された市販の円柱状印鑑２をケース本体３０に収納し、当該印面２Ａが当該ケース本体３０の先端よりも外方に突出するように当該印鑑２を当該ケース本体３０に保持させた状態で押印動作を行うことができる印鑑ケースである。なお、ケース本体３０の先端部に着脱自在あるいは開閉自在なキャップ部（不図示）を設けて、当該ケース本体３０に収納された印鑑２の印面の保護、埃の付着防止を図る構成とすることも考えられる。
【００３１】
ケース本体３０は、外形断面が正方形である直方体状であって、長手方向の先端面に開口部３０ｅを有して印鑑２を内部に収納可能な収納孔３０Ｅを備えている。なお、市販の円柱状印鑑２の外径寸法に応じて、開口部３０ｅおよび収納孔３０Ｅの内径寸法を適宜設定すればよい。
【００３２】
また、ケース本体３０は、印鑑２を印面２Ａの背面方向から見た場合の当該印面２Ａの所定の上端位置２ａ、下端位置２ｂ、左端位置２ｃ、右端位置２ｄと、ケース本体３０の上面３０Ａの短手方向の中心位置３０ａ、下面３０Ｂの短手方向の中心位置３０ｂ、左面３０Ｃの短手方向の中心位置３０ｃ、右面３０Ｄの短手方向の中心位置３０ｄとをそれぞれ一致させた状態で印鑑２を収納孔３０Ｅ内に固定する固定部を備えている。
【００３３】
ここで、本実施形態において、ケース本体３０は、印鑑２を短手方向に挟み込み可能なように蝶番部３０ｆが設けられて開閉可能に形成されている。一例として、樹脂材料（例えば、ポリプロピレン等）を用いて本体上部３０Ｘおよび本体下部３０Ｙを弾性変形可能な蝶番部３０ｆと共に一体成型する構成が考えられる。なお、本体上部３０Ｘと本体下部３０Ｙとを閉じた状態で固定させる機構としては、一例として、いずれか一方（ここでは、本体上部３０Ｘ）にスナップフィット係合突起３０ｇを設け、他方（ここでは、本体下部３０Ｙ）にスナップフィット係合孔３０ｈを設けて、両者をスナップフィット係合によって固定させる構成が考えられる。
【００３４】
また、本実施形態においては、収納孔３０Ｅの内面に、ケース本体３０が閉じられた際に当該収納孔３０Ｅ内に収納されている印鑑２に圧接可能な内径寸法となる厚みを有する弾力性部材（例えば、ゴム部材等）３３が貼着されている。なお、市販の円柱状印鑑２の外径に応じて、弾力性部材３３の厚みを適宜設定すればよい。
【００３５】
さらに、本実施形態においては、収納孔３０Ｅの内底面に、当該収納孔３０Ｅ内に収納されている印鑑２の背面に圧接可能な厚みを有する弾力性部材（例えば、ゴム部材等）３３が貼着されている。なお、市販の円柱状印鑑２の長さ寸法（長手方向の長さ）に応じて、弾力性部材３３の厚みを適宜設定すればよい。
【００３６】
したがって、本実施形態における上記固定部は、印鑑２を前記収納孔３０Ｅ内に収納してケース本体３０（すなわち、本体上部３０Ｘおよび本体下部３０Ｙ）を閉じると共にスナップフィット係合突起３０ｇをスナップフィット係合孔３０ｈに係合させてスナップフィット係合により固定することによって、当該収納孔３０Ｅの内面に設けられた弾力性部材３３が印鑑２に圧接して、当該印鑑２を固定することが可能となる。
【００３７】
ここで、印鑑ケース３は、ケース本体３０の左面３０Ｃに当該左面であることを表示する左面表示部３１が設けられていることを特徴とする。なお、左面表示部３１の具体的構成については、前述の第一の実施形態に係る印鑑１における左面表示部１１と同様であるため、繰り返しの説明を省略する。
【００３８】
上記のように左面表示部３１を設ける構成は右利きの人用として好適な例である。左利きの人用としては、ケース本体３０の右面３０Ｄに当該右面であることを表示する右面表示部を設ける構成が好適である。なお、右面表示部の具体的構成については、前述の第一の実施形態に係る印鑑１における右面表示部と同様であるため、繰り返しの説明を省略する。
【００３９】
上記構成によれば、例えば、押印の際にケース本体３０の左面３０Ｃが左側となるように（もしくは、左利きの人であればケース本体３０の右面３０Ｄが右側となるように）印鑑ケース３を把持するのみで、印鑑２の印面２Ａを直接目視せずとも当該印面２Ａが正立状態となるように保持することができる。さらに、ケース本体３０が断面正方形の直方体であることによって、当該ケース本体３０が斜めになっている状態が把握し易いため、印鑑２の印面２Ａを容易に且つ正確に正立状態に保持することができる。したがって、押印の際に印影が斜めになってしまうことを容易に防止することができる。
【００４０】
以上説明した通り、開示の印鑑および印鑑ケースによれば、印影を容易に正立状態とすることができ、且つ正しい位置に押印することが可能となる。
【００４１】
なお、本考案は、以上説明した実施例に限定されることなく、本考案を逸脱しない範囲において種々変更可能であることは言うまでもない。
【符号の説明】
【００４２】
１  印鑑
２  市販の円柱状印鑑
３  印鑑ケース
１０  本体
１１  左面表示部
１３  インク貯蔵部
２０  印盤
２０Ａ  印面
３０  ケース本体
３１  左面表示部
３３  弾力性部材
【図１】
0003171830.tif 000003
【図２】
0003171830.tif 000004
【図３】
0003171830.tif 000005
【図４】
0003171830.tif 000006